Podtech/llm-jp-corpus-v4-ja_patent huggingface dataset:
(57)【要約】【課題】１つの帽子でつばを捲る事により、別の種類の帽子に切り替えるという帽子を提供する。【解決手段】帽子の半分を表布（１）で形成して、これを表面部位（２）とし、残り半分を切替布（３）で形成して、これを切替部位（４）とし、さらに可動部位（７）として、表布（５）と切替布（６）を裏表に重ね合わせて、帽子の半分を形成し、この可動部位（７）を表布（５）が上になるように、切替部位（４）の上に重ね置き、表面部位（２）と切替部位（４）と可動部位（７）すべてを、接合部（８）で縫い合わせる。そして、裏側には裏布（９）で裏面帽子（１０）を設けたことを特徴とする。【選択図】　　図１
2004068238.tif 000002
【特許請求の範囲】
【請求項１】
帽子の半分を表布（１）で形成して表面部位（２）とし、残り半分を切替布（３）で形成して切替部位（４）とし、可動部位（７）は表布（５）と切替布（６）を裏表に重ね合わせ、帽子の半分を形成したものであり、この可動部位（７）を表布（５）が上になるよう、切替部位（４）の上に重ね置き、表面部位（２）と切替部位（４）と可動部位（７）の、すべてを接合部（８）で縫い合わせ、裏側には裏布（９）で裏面帽子（１０）を設けた切り替え可能な帽子。
【発明の詳細な説明】
【０００１】
【発明の属する技術分野】
この発明は、つばを捲ることにより、１つの帽子で別の種類の帽子にも変える事を特徴とする帽子に関するものである。
【０００２】
【従来の技術】
従来より、１つの帽子で裏表の２通り被る事が可能な帽子はあった。しかし、つばを捲る事により別の種類の帽子に切り替る事が可能な帽子はなかった。
【０００３】
【発明が解決しようとする課題】
これは次のような欠点があった。
（イ）帽子を被ったまま別の種類の帽子に変える事はできなかった。
（ロ）１つの帽子で色・柄や素材又は目的を変えようとする時、裏表被る事が可能な帽子であっても、２通りの使用に留まった。
本発明は、これらの欠点を除くためになされたものである。
【０００４】
【課題を解決するための手段】
帽子の半分を表布（１）で形成して表面部位（２）とし、帽子の残り半分を切替布（３）で形成して切替部位（４）とする。可動部位（７）として、表布（５）と切替布（６）を裏表に重ね合わせ、帽子の半分を形成する。この可動部位（７）を、表布（５）が上になるよう、切替部位（４）の上に重ね置き、表面部位（２）と切替部位（４）と可動部位（７）の、すべてを接合部（８）で縫い合わせる。さらに帽子の裏側には裏布（９）で裏面帽子（１０）を設ける。
本発明は、以上の構成によりなる切り替え可能な帽子である。
【０００５】
【作用】
１つの帽子で可動部位（７）のつば（１１）を捲る事により別の種類の帽子に切り替えるという機能を持たせたものである。
【０００６】
【実施例】
以下、本発明の図示実施例にしたがって説明する。
図１は表面部位（２）と切替部位（４）と、その上に重ねた、可動部位（７）の一部を捲った状態を示した斜視図であって、表布（１）で帽子の半分を形成し、あとの半分は切替布（３）で形成し、可動部位（７）として、表布（５）と切替布（６）を裏表に重ね合わせて、帽子の半分を形成し、可動部位（７）を、表布（５）が上になるよう、切替部位（４）の上に重ね置き、表面部位（２）と切替部位（４）と可動部位（７）の、すべてを接合部（８）で縫い合わせたものである。図２は可動部位（７）のつば（１１）を捲っている状態の斜視図である。図３は帽子の裏面を裏布（９）で形成した裏面帽子（１０）の斜視図である。本発明は以上のような構造でこれを使用する時は表布（１）（５）でできた帽子と裏布（９）でできた帽子の２通りを被る事が可能な他に、可動部位（７）のつば（１１）を持ち、捲る事により切替布（３）（６）でできた帽子を被る事ができる。本実施例では裏布（９）で裏面帽子（１０）を形成し帽子の裏側も被る事を可能にしているが裏面帽子（１０）を設けず、２通りに切り替える帽子にしてもよい。尚、布の色・柄や素材等、帽子に使用できるものであれば何を使用しても良い。デザインや色・柄違いのもの、雨天素材のもので１つの帽子を作ると、全天候に対応できる。
【０００７】
【発明の効果】
１つの帽子で色・柄や素材を目的に応じて簡単に切り替える事ができ、多目的に使用できる。又、１つの帽子で３通りに使用ができる事で用途が増す。
【図面の簡単な説明】
【図１】本発明の斜視図である。
【図２】本発明の使用中の斜視図である。
【図３】本発明の使用状態の１例を示す斜視図である。
【図４】本発明の断面図である。
【図５】本発明の使用中の断面図である。
【符号の説明】
１、５　　表布
２　　　　表面部位
３、６　　切替布
４　　　　切替部位
７　　　　可動部位
８　　　　接合部
９　　　　裏布
１０　　　　裏面帽子
１１　　　　つば
【図１】
2004068238.tif 000003
【図２】
2004068238.tif 000004
【図３】
2004068238.tif 000005
【図４】
2004068238.tif 000006
【図５】
2004068238.tif 000007
(57)【要約】　　　（修正有）【課題】利用者が炎天下で作業をしても頭が熱くならないヘルメットを提供する。【解決手段】本発明はヘルメット外殻に多数の通気孔２を設け、自然換気により頭が熱くなるのを防ぐ。また、ヘルメット上部にソーラーパネル３を設置し、ヘルメット下部に換気扇４を設置し強制換気により頭が熱くなるのを防ぐ。さらに、ソーラーパネルと換気扇は着脱可能とし、状況により自然換気か強制換気かを選択できるようにした。【選択図】図１
2004068237.tif 000002
【特許請求の範囲】
【請求項１】
４個以上の穴の開いたヘルメット
【請求項２】
メッシュ構造になっているヘルメット
【請求項３】
上部にソーラーパネルを設置したヘルメット
【請求項４】
下部に換気扇を有するヘルメット
【請求項５】
ソーラーパネルと換気扇を着脱可能のヘルメット
【発明の詳細な説明】
従来のヘルメットは通気性が悪く、炎天下で作業をすると頭が熱くなった。
本発明は、利用者が炎天下で作業をしても頭が熱くならないヘルメットを考案したものである。
【００１】側部・前部・後部に多数の通気孔を設け、あるいはヘルメット自体がメッシュ構造になっており、ヘルメットと頭の間にある空気の自然換気を良くし、頭が熱くなるのを防ぐ。
【００２】上部にソーラーパネルを設置し、下部に換気扇を設置し、ヘルメットと頭の間にある空気を強制的に換気し、頭が熱くなるのを防ぐ。
【００３】上部のソーラーパネルと下部の換気扇は、ヘルメットに着脱可能とする。
【図面の簡単な説明】
【図１】本発明ヘルメットの正面図
【図２】本発明ヘルメットの側面図
【図３】本発明ヘルメットの平面図
【符号の説明】
１はヘルメット　２は通気孔　３はソーラ＾パネル　４は換気扇
【図１】
2004068237.tif 000003
【図２】
2004068237.tif 000004
【図３】
2004068237.tif 000005
(57)【要約】【課題】脇の下に直接貼れる使い捨て汗取りパット【解決手段】脇の下に直接貼れる汗取りパット（１）（２）吸収部全体を囲う漏れ止め（３）伸縮性のある接着部（４）を設けた、装着の際パットの向き（５）が明確であることを特徴とする。【選択図】　図１
2004068236.tif 000002
【特許請求の範囲】
【請求項１】
脇の汗腺を覆う形状の吸水パット部と、該吸収パット部の周縁にもうけた周縁部と、周縁部に設けられた粘着層とにより構成される汗取りパット。
【請求項２】
吸水パット部と周縁部境界部に突起による漏れ止め部を設けたことを特徴とする請求項１記載の汗取りパット。
【請求項３】
脇下に装着した際、少なくとも周縁部の折り返し部に伸縮機構を設けたことを特徴とする請求項１記載の汗取りパット。
【請求項４】
脇下から前身腕付け根部に向けて、周縁部を延長させた装着時の位置決め部を設けた請求項１又は２記載の汗取りパット。
【発明の詳細な説明】
【０００１】
【発明の属する技術分野】
脇下の肌に直接貼れる汗取り使い捨てパット。
【０００２】
【従来の技術】
従来、服の脇に貼れる小さな汗取りパットはあった。
【０００３】
【発明が解決しようとする課題】
これは次のような欠点があった。
（イ）　衣服の脇下に貼る為、デザインにより正しい位置や向きが分からない。
（ロ）　接着部を衣服に貼る為、衣服の脇がテープによって引きつれる。
（ハ）　衣服のデザイン、生地、色によって貼れないものがある。
（ニ）　衣服と脇が密着しているもの又は開いているものなど、さまざまなデザインにより濡れる箇所を定められない。
（ホ）　服の動きに耐えられず、めくれたり取れてしまう。
（ヘ）　汗の流れる広範囲に対応出来ない。
【０００４】
【課題を解決するための手段】
シート基材（６）に吸水パット（１）を取りつけたものであり、シート基材の吸収パット外周には、はみだした周縁部（２）が構成された汗取りパット。吸収部を囲うように突起による漏れ止め（３）があり、周縁部全体は動きに対応出来るよう伸縮機構をもたせている。周縁部に設けられた粘着層（４）により吸収パットを肌に装着出来るようにしている。また装着向きが分かるように、パット延長部（５）を設ける。本発明は以上のように構成された使い捨ての汗脇パットである。
【０００５】
【発明の実施の形態】
以下、本発明の第一の実施の形態について、図１から図３を用いて説明する。
本発明は、脇下に直接貼って汗を吸収する汗取りパットである。
一方向に突き出した延長部（５）を有するシート基材（６）と吸収パット（１）を基本材料として構成されている。シート基材としては、伸縮性を有するものであり、脇下に貼った状態で、体の動きに合わせて伸縮する伸縮機能の役割を成す。
このシート基材の表面には図２に示すように、全面に粘着層（４）が設けられている。このシート基材の中心位置に吸収パットが粘着剤によって取り付けられている。吸収パットの周辺にはシート基材がはみ出した状態になっており、これにより周縁部（２）が構成される。
この吸収パットは、汗を吸収するための吸水性を有するものであり、脇下の汗腺を覆う形状並びに大きさのものである。形状としては、図１に示すよう脇下の折り返し部から、上方下方に長めになったラグビーボール状のものがあげられる。また、この吸収パット外周には図３に示すように、汗腺を覆い全体を囲むように突起（３）による漏れ止めが設けられている。この突起形成においては、圧力形成や縫合等の従来利用される各種突起形成加工により構成される。
前記延長部（５）は、装着時吸収パット（１）を適正な位置にした際に、その先端が腕付け根にあたるようになり、装着時の位置調整の基準となるものである。その形状は図面に記載された形状に限定されるものではなく、上記目的を果たすものであれば、各種検討できる。
また、吸収パットをより強力にシート基材（６）に固定する方法として、前記粘着手段に限定されるものでなく、縫合などの各種固定手段の処理を施してもよい。本発明は以上のような構成よりなり、以下のように使用する。
図４に示すように延長部の先端を腕付け根にあて仮固定した状態で、吸収パット（１）が脇下の汗腺にあたるように位置調整して、周縁部（２）の粘着層（４）により体に貼り付ける。これにより、本発明の汗取りパットは装着され、汗腺から出た汗は吸収パットにより吸収される。また、装着時の動作に合わせてシート基材は伸縮するので、過剰に肌を引っ張ることがなく、生活の支障とならないようになっている。また、吸収部は周縁部（２）の粘着層（４）によりその位置が固定されているが、肌とは密着されていない。これに伴い、汗腺からでた汗が肌を伝い流れることもあるが、これは突起（３）により漏れ止めにより吸収パット外に流れるのを防ぐことが出来る。
【０００６】
以下、本発明の第二の実施の形態について図５から図６を用いて説明する
【０００７】
図５は、伸縮機構として周縁部（２）の前部及び後部に切り込みスリット（７）を入れることにより、周縁部外周がつっぱるのを防ぐため、さらに動きによく対応するものである。また、スリットは前部あるいは後部に設けることが可能である。
【０００８】
図６は、伸縮機構として周縁部（２）の前部及び後部にギャザー（８）を入れたものである。これのより伸縮性及び装着感を向上させている。図５とは違う働きに対応するものである。
【発明の効果】
汗腺を覆う形状の吸収パットを、周縁部の粘着層を利用して、肌に直接汗取りパットを取り付けることが可能となる。これにより、従来の衣服装着式の場合に生じる、肌と汗取りパットの距離をなくすことができ、横漏れすることで服を汚すことがなく、効率よく汗を吸収することができる。また、衣服のデザインや生地などにより、装着することが不可能という問題も解消される。
周縁部に伸縮機能を設けた場合、日常生活における腕の動作により汗取りパットが引っ張られ、脱落することを回避することができる。また、肌へのフィット感を向上させるとともに、よりツッパリ感を解消させるので、より自然な動きが可能となる。脇下から前身腕付け根部に向けて周縁部を延長させ、装着時の位置決め部を設けることにより、一度基準となる位置にこの先端を取り付け、仮固定した状態で装着することが可能となり、簡単に装着することができる。
【図面の簡単な説明】
【図１】本発明の全体図である。
【図２】本発明の斜視図である。
【図３】本発明の断面図である。
【図４】本発明の装着図である。
【図５】本発明の他の実施例を示す斜視図である。
【図６】本発明の図５以外の実施例を示す斜視図である。
【符号の説明】
１　吸水パット
２　周縁部
３　突起
４　粘着層
５　延長部
６　シート基材
７　スリット
８　ギャザー
【図１】
2004068236.tif 000003
【図２】
2004068236.tif 000004
【図３】
2004068236.tif 000005
【図４】
2004068236.tif 000006
【図５】
2004068236.tif 000007
【図６】
2004068236.tif 000008
(57)【要約】【課題】身障者や高齢者が、容易に自助排尿を行うことのできる下着パンツを提供する。【解決手段】身障者および高齢者用の下着パンツであって、その二段継面Ｆ側部分を構成する布を、上端からほぼ下端に達する長さで設けた上側布２と、ほぼ下端部に設けた下側布３とで形成し、前記上側布２の下端部と下側布３とを、当該下側布３を外側または内側にした状態で重ね合せて開閉自在な重合部４を形成し、重合部４を上下方向に解放して使用する。したがって、左右いずれかの手が不自由な人でも使用容易である。【選択図】　　　図１
2004068233.tif 000002
【特許請求の範囲】
【請求項１】
身障者および高齢者用の下着パンツであって、その二段継面（Ｆ）側部分を構成する布を，上端からほぼ下端に達する長さで設けた上側布（２）と，ほぼ下端部に設けた下側布（３）とで形成し、前記上側布の下端部と下側布とを，該下側布を外側または内側にした状態で重ね合せて，開閉自在な重合部（４）を形成してなることを特徴とする身障者および高齢者用下着パンツ。
【発明の詳細な説明】
【０００１】
【発明の属する技術分野】本発明は、身障者および高齢者用の下着パンツに関するものである。
【０００２】
【従来の技術】身障者や高齢者にとって、自分自身で排尿できるか否かは日常生活においてきわめて重要な意味を持つ。いわゆる自助排尿ができれば、日常生活における自信が湧き、あらゆる活動を積極的に行うなど、毎日の生活が楽しくなる。逆に、それができなければ自信を喪失して、生きる喜びまで失ってしまいかねない。また、液体吸収パッドの装着や取出しも、同様に自身で行うことができればこの上ない。
【０００３】
【発明が解決しようとする課題】しかし、従来から一般に使用されている下着パンツを着用した場合、自助排尿や液体吸収パッドの装着等がきわめて困難である。
【０００４】
本発明はこうした問題に鑑み創案されたもので、身障者や高齢者が、容易に自助排尿でき、また、液体吸収パッドの装着等を行うことのできる下着パンツを提供することを課題とする。
【０００５】
【課題を解決するための手段】図１乃至図４を参照して説明する。本発明は、身障者および高齢者用の下着パンツであって、その二段継面側部分を構成する布を、上端からほぼ下端に達する長さで設けた上側布２と、ほぼ下端部に設けた下側布３とで形成し、前記上側布２の下端部と下側布３とを、当該下側布３を外側または内側にした状態で重ね合せて開閉自在な重合部４を形成してなることを特徴とするものである。
【０００６】
【発明の実施の形態】本発明に係る身障者および高齢者用下着パンツ１の実施形態を、図１乃至図３に示す。これは、男女を問わず、身障者や高齢者が着用するトランクスタイプの下着パンツであり、二段継面Ｆ側部分を構成する布を、上端からほぼ下端に達する長さで設けた上側布２と、ほぼ下端部に設けた下側布３とで形成している。そして、上側布２の下端部と下側布３とを、下側布３を外側にした状態で重ね合せて、開閉自在な重合部４を形成している。
【０００７】
この下着パンツ１の二段継面Ｆ側を前にして男性が着用すると、例えば、片手のみで重合部４を容易に解放することができ、また、手を離すことによって重合部４を自動的に閉鎖することができるので、手の不自由な身障者や高齢者でも自助排尿することが可能となる。また、二段継面Ｆを後にして女性が着用したとき、ウエストゴム部分の下着をずらさなくても、重合部４が極めて容易に解放できるので、著しく排出が容易になる。
【０００８】
また、液体吸収パッド５の装着および取出しも、この重合部４から、片手で容易に行うことができる。
【０００９】
なお、上記実施形態においては、下側布３を外側にした状態で上側布２と重ね合わせているが、本発明はこれに限定されるものではなく、図４に示すように、下側布３を内側にすることもできる。
【００１０】
また、本発明に係る下着パンツ１はトランクスタイプに限定されるものではなく、図５に示すようなブリーフタイプとすることもできる。
【００１１】
【発明の効果】本発明に係る身障者および高齢者用下着パンツ１は、左右いずれの片手でも容易に開閉できる重合部４を形成しているので、男女を問わず、身障者や高齢者でも人の手を借りずに自助排尿することが可能となる。また、この重合部４から、容易に、液体吸収パッド５の装着および取出しを行うことができる。さらに、左右いずれかの手が不自由な人でも使用容易である。
【図面の簡単な説明】
【図１】本発明の実施形態を示す正面図である。
【図２】図１のＡ−Ａ線断面図である。
【図３】図１のＢ−Ｂ線断面図である。
【図４】本発明の他の実施形態を示す断面図である。
【図５】本発明のさらに他の実施形態を示す正面図である。
【符号の説明】
１　　下着パンツ
２　　上側布
３　　下側布
４　　重合部
５　　液体吸収パッド
Ｆ　　二段継面
【図１】
2004068233.tif 000003
【図２】
2004068233.tif 000004
【図３】
2004068233.tif 000005
【図４】
2004068233.tif 000006
【図５】
2004068233.tif 000007
(57)【要約】【課題】染色、着色の際に使用する、型紙製作を容易にし、かつ従来できなかった新鮮で新しさが加わった手法を開発し、応用範囲を広げることである。【解決手段】使用時に適度な柔軟性と粘着度、厚さを持つ蝋の板を使用した。かつ、下絵を写す場合は、模様線が透けて見える蝋の板であることにも配慮した。【特許請求の範囲】
【請求項１】
使用時に適度な柔軟性と粘着度を備えた蝋の板そのもの。あるいはその表面に皮膜を張り、切る、穴を開けるなど処理して作る染色または着、脱色用の保護型と型紙。
【請求項２】
請求項１の型又は型紙を使い染色、又は着、脱色する処方。
【請求項３】
請求項２で染色または着、脱色した物で作られた物。
【発明の詳細な説明】
【０００１】
【発明の属する技術分野】
本発明は、物体又は素材を染色、着、脱色の可能性を広げる保護型又は型紙とその製造方法に関する。
【０００２】
【従来の技術】
従来の染色、着、脱色に使われる型紙は、紙、合成樹脂、金属などの素材で作られている。又、保護剤として高温で溶かした蝋を素材の上に粘着させて染める、ろうけつ染めの処方がある。又、本発明者が蝋の板に木の葉などの既成の素材模様を押し写して、その蝋板に写された模様に直接、顔料や染料を塗り素材に模様を写す染めもある。
【０００３】
【発明が解決しようとする課題】
従来の型紙は固い素材のため加工が困難複雑である。ろうけつ染めは多様な加工が楽しめるが蝋を高温で溶かすため環境問題もあり、加工後、蝋を処理する際も大変である。又、本発明者の既成の素材の模様を蝋の板の上に押し、コピーのみで作る文様染めは、応用範囲が狭い。
【０００４】
【問題を解決するための手段】
上記の問題点を解決するために、切る、曲げる、穴を開けるなど加工が容易で素材の上に常温で仮粘着し、染料や顔料が浸透し難い蝋の板を使うことにした。
【０００５】
【発明の実施の形態】
本発明は、加工と使用時に適度な柔軟性と粘着度を備え、使用目的に合う厚さを持ち、自由に描いた下絵のデザインが透けて見える蝋の板を使用した。
【０００６】
【実施例】
上記の蝋の板を下絵の上に置き、仮止めし、その模様を竹串など先端が尖った道具で切り、外さず、そのまま着色する素材の上に移し、全体を押さえた。
【０００７】
着色する部分の模様を外し、残り模様の淵を擦り着色する素材と密着させてから、裏返し蝋板の厚み部分と素材とを密着させた。
【０００８】
筆で顔料を着色。乾いてから外した模様をはめ込み、次の模様を外す、を繰り返し全体を着色した。
【０００９】
使用時に適度な柔軟性と粘着度を備えた蝋の板を切る、曲げるなどして素材の上に常温で仮粘着し、着色又は脱色材で処理した。
【００１０】
【発明の効果】
本発明は上記のように、染色及び着色の際、従来とは異なる材料又は形状の物を使用することにより、以下のような効果がある。
【００１１】
容易に切ることができるため、型紙製作が容易にでき、従来の型紙ではできなかった工夫も開発できた。
【００１２】
柔軟性が高く、素材の上に常温で仮粘着するため、立体物にも容易に使用できるので、応用範囲が広がった。
(57)【要約】【課題】本発明は、冷え症の足先だけを保護し、足先を暖めながら冷え症を解消し、さらに足先への着脱を簡便にした冷え症防止靴下を提供する。【解決手段】足先を覆う袋状の収納部（１）の上面に連結部（３）を設け、連結部（３）は足首ベルト（４）に接続し、収納部（１）には開口部（２）を設け、開口部（２）より収納部（１）に足先を入れて固定する冷え症防止靴下。【選択図】　　　　図２
2004068239.tif 000002
【特許請求の範囲】
【請求項１】
足先を覆う袋状の収納部（１）の上面に連結部（３）を設け、連結部（３）は足首ベルト（４）に接続し、収納部（１）には開口部（２）を設け、開口部（２）より収納部（１）に足先を入れて固定する冷え防止靴下。
【発明の詳細な説明】
【０００１】
【発明の属する技術分野】
この発明は、冷え症の足先だけを保護し、暖めながら冷えを解消する冷え防止靴下に関するものである。
【０００２】
【従来の技術】
従来より、女性や老人は冷え症の人が多く、冷え症の人は足先が特に冷えて不快感があるために、夏でも靴下を着用している。
【０００３】
【発明が解決しようとする課題】
これは、次のような欠点があった。
イ．靴下は足を全部包み込んでしまう為、夏は足がむれる。
ロ．足先だけでなくつま先から足首全体までを覆うために、足全体が熱くなり蒸れて、夏の使用は不快感が付きまとう。
ハ．靴下は足首への締め付けがあり苦痛である。
本発明は、以上の欠点を解決するためになされたものである。
【０００４】
【課題を解決するための手段】
足先を覆う袋状の収納部（１）の上面に連結部（３）を設け、連結部（３）は足首ベルト（４）に接続する。収納部（１）には開口部（２）を設ける。開口部（２）より足先を収納部（１）へ挿入する。
【０００５】
【発明の実施の形態】
以下、本発明の実施の形態を説明する。
イ．靴下の足先を覆う袋状の収納部（１）の上面に帯長状の連結部（３）を設ける。
ロ．連結部（３）は足首ベルト（４）に接続する。
ハ．収納部（１）に開口部（２）を設ける。
本発明は、以上の構成よりなっている。
本発明を使用するときは、収納部（１）に設けられている開口部（２）に足先を入れ、収納部（１）がずれないように連結部（３）に接続されている足首ベルト（４）で固定をして着用し、足先の冷えを防止できる。
【０００６】
【発明の効果】
足先の冷えをふせぎ、かつ足の蒸れを防ぐことで、より素足に近い状態で開放感がありかつ冷え対策が可能となる。
【図面の簡単な説明】
【図１】本発明の斜視図
【図２】本発明の使用状態を示す斜視図
【図３】本発明の側面断面図
【符号の説明】
（１）は収納部
（２）は開口部
（３）は連結部
（４）は足首ベルト
（５）は足
【図１】
2004068239.tif 000003
【図２】
2004068239.tif 000004
【図３】
2004068239.tif 000005
(57)【要約】【課題】本発明は、クローポールを有するクローポールロータを粉体を型で圧粉又は焼結して簡単に製作することを目的とする。【解決手段】本発明によるクローポールロータの製造方法は、クローポール（３１、４１）を有する本体（１００）を粉体を型で圧粉又は焼結することによって形成することにより、複雑なクローポール（３１、４１）を簡単に形成する方法である。【選択図】　　　　図５
2004068041.tif 000002
【特許請求の範囲】
【請求項１】
軸方向に突出するクローポール（３１、４１）を円周方向に沿って所定角度毎に有する本体（１００）によって構成されたクローポールロータにおいて、
前記本体（１００）は、粉体を型で圧粉又は焼結によって形成したことを特徴とするクローポールロータの製造方法。
【発明の詳細な説明】
【０００１】
【発明の属する技術分野】
本発明は、クローポールロータの製造方法に関し、特に、粉体を型で圧粉又は焼結することにより、簡単かつ容易に製造するための新規な改良に関する。
【０００２】
【従来の技術】
従来、用いられていたこの種のクローポールロータの製造方法としては、ムクの磁性材料を旋盤、フライス、ワイヤカット等によって各種加工を行っていた。
【０００３】
【発明が解決しようとする課題】
従来のクローポールロータの製造方法は、以上のように構成されていたため、次のような課題が存在していた。
すなわち、ムクの磁性材を旋盤、フライス、ワイヤカットで各種加工を行って複雑な形状のクローポールロータを製作していたため、加工処理の工程に多大の時間及びコストを要すると共に、旋盤、フライス、ワイヤカットの各機械のメンテナンスも容易ではなかった。
【０００４】
本発明は、以上のような課題を解決するためになされたもので、特に、粉体を型で圧粉又は焼結することにより、簡単かつ容易に製造するようにしたクローポールロータの製造方法を提供することを目的とする。
【０００５】
【課題を解決するための手段】
本発明によるクローポールロータの製造方法は、軸方向に突出するクローポールを円周方向に沿って所定角度毎に有する本体によって構成されたクローポールロータにおいて、前記本体は、粉体を型で圧粉又は焼結によって形成する方法である。
【０００６】
【発明の実施の形態】
以下、図面と共に本発明によるクローポールロータの製造方法の好適な実施の形態について説明する。尚、従来例と同一又は同等部分には同一符号を用いて説明する。
図１及び図２は、一例として、本発明によるクローポールロータ３０及び４０を用いた界磁制御ロータ２０を示し、図３から図８は、図１で示される第１、第２、第３クローポールロータ２５、３０、４０を示している。
【０００７】
図１及び図２において、符号２０で示されるものはモータ等の回転制御に用いる界磁制御ロータであり、この界磁制御ロータ２０は、第１クローポールロータ２５、第２クローポールロータ３０及び第３クローポールロータ４０で軸方向に沿って互いに重合して構成されている。
前記第２、第３クローポールロータ３０、４０に円周方向に沿って所定角度毎に形成された各第２クローポール３１及び各第３クローポール４１は、図２で示されるように円周方向に沿って互いに交互に配列されるように構成されている。
【０００８】
前記第１クローポールロータ２５は、図３及び図４で示されているように、全体形状がリング板状に形成され、段部２５ａを有すると共に、非磁性又は磁性材の粉体を図示しない型で圧粉又は焼結によって形成された本体１００によって構成されている。尚、この第１クローポールロータ２５は形状が単純であるため従来の旋盤、フライス等で製作する場合もある。
【０００９】
前記第２クローポールロータ３０は、図５及び図６で示されているように、複数の磁極を形成するための第２クローポール３１がその円周方向に沿って所定角度毎に形成されており、この第２クローポールロータ３０は、フェライト等の磁性材の粉体を図示しない型で圧粉又は焼結によって形成された本体１００によって構成されている。
【００１０】
前記第３クローポールロータ４０は、図７及び図８で示されているように、複数の磁極を形成するための第３クローポール４１がその円周方向に沿って所定角度毎に形成されており、この第３クローポールロータ４０は、フェライト等の磁性材の粉体を図示しない型で圧粉又は焼結によって形成された本体１００によって構成されている。
【００１１】
【発明の効果】
本発明によるクローポールロータの製造方法は、以上のように構成されているため、次のような効果を得ることができる。
すなわち、複雑な形状の複数のクローポールを有するクローポールロータを、粉体を型で圧粉又は焼結によって形成させているため、如何に複雑な形状のクローポールでも極めて簡単かつ容易に製作することができ、従来の旋盤、フライス等を用いる必要がなく、製作の精度向上及びコストダウンを達成することができる。
【図面の簡単な説明】
【図１】本発明によるクローポールロータを用いた界磁制御ロータを示す構成図である。
【図２】図１のＡ−Ａ断面図である。
【図３】図１の第１クローポールロータを示す断面図である。
【図４】図３のＡ−Ａ断面図である。
【図５】図１の第２クローポールロータを示す構成図である。
【図６】図５の断面図である。
【図７】図１の第３クローポールロータを示す構成図である。
【図８】図７の断面図である。
【符号の説明】
３１、４１　　クローポール
１００　　本体
【図１】
2004068041.tif 000003
【図２】
2004068041.tif 000004
【図３】
2004068041.tif 000005
【図４】
2004068041.tif 000006
【図５】
2004068041.tif 000007
【図６】
2004068041.tif 000008
【図７】
2004068041.tif 000009
【図８】
2004068041.tif 000010
(57)【要約】【課題】天然樹皮製のバークの特長に加えて、植物の成長を促進し、人の健康を増進する等の作用も備えた模造バークを提供する。【解決手段】叩解された植物性の繊維質材料にマイナスイオンを発生する鉱石の粉末を混入して水と混和し、抄きあげて乾燥させたものである。天然樹皮製のバークと同様の効果に加えてマイナスイオンによる効果が発揮され、周辺の植物に好ましい影響を及ぼすと共に、人の健康を増進することができ、廃棄時に環境を害することもない。【特許請求の範囲】
【請求項１】
叩解された植物性の繊維質材料にマイナスイオンを発生する鉱石の粉末を混入して水と混和し、抄きあげて乾燥させて得られたことを特徴とする模造バーク。
【請求項２】
植物性の繊維質材料がセルローズあるいはセルローズを主体としたパルプまたは古紙である請求項１記載の模造バーク。
【請求項３】
マイナスイオンを発生する鉱石が、プラスとマイナスの両極を有する鉱石またはマイナスのゼータ電位を有する鉱石である請求項１または２記載の模造バーク。
【発明の詳細な説明】
【０００１】
【発明の属する技術分野】
この発明は、樹皮状の外観を有する模造バークに関するものである。
【０００２】
【従来の技術】
樹皮を適当な大きさに分割したバークチップは、例えばプランターや花壇の土の表面に敷き詰めて土壌の乾燥を防ぎ、あるいは植物の見栄えをよくするために用いられており、園芸用品店などで取り扱われている。このバークチップは天然の樹皮に若干の加工を加えたものであり、上述のような乾燥防止や外観向上のほか、土壌の保温や保湿を行い、強い日差しや凍てつきから植物を守り、焼却しても有害物質を発生せず、土中では自然に分解して土に帰るために環境に悪影響を与えず、植物の肥料になり、更に土壌の微生物を増やし、雑草を生えにくくする等の効果があることも知られているが、それ以上の積極的な効果は特に認められない。
【０００３】
【発明が解決しようとする課題】
この発明は上述のようなバークチップの特長に加えて、植物の成長を促進し、人の健康を増進する等の作用も備えた模造バークを提供することを課題としてなされたものである。
【０００４】
【課題を解決するための手段】
上記の課題を達成するために、この発明の模造バークは、叩解された植物性の繊維質材料にマイナスイオンを発生する鉱石の粉末を混入して水と混和し、抄きあげて乾燥させて得られたことを特徴としている。このような構成により、鉱石が発生するマイナスイオンによって既に知られているようなマイナスイオン効果が発揮され、周辺の動植物に好ましい影響を及ぼす。またプラスチックを含まないので焼却や土中での自然分解などの処分が容易である。
【０００５】
また、植物性の繊維質材料はセルローズあるいはセルローズを主体とした植物繊維、例えばパルプまたは古紙を利用でき、古紙の場合にはそのリサイクル手段として特に効果的である。
【０００６】
また、マイナスイオンを発生する鉱石としては、プラスとマイナスの両極を有する鉱石またはマイナスのゼータ電位を有する鉱石が使用される。前者の鉱石としては例えばトルマリンが使用可能であり、また後者の鉱石としては、例えば段戸鉱石の名称で知られている愛知県北設楽郡の段戸国有林地内で産出する特殊な珪石が使用可能である。この特殊な珪石は、−３０ｍＶという強いマイナスのゼータ電位を有する鉱石として知られている。
【０００７】
【発明の実施の形態】
次にこの発明の実施の形態を説明する。
まず、繊維質材料を水と混和しながら十分に叩解する。この植物性の繊維質材料としては新しいパルプ材を用いてもよいが、繊維自体の強度はそれほど要求されないので、例えば古い綿布や古紙などの使用済みの植物性の素材を用いてもよく、このような材料を利用することは、パルプ資源をリサイクルして消費を低減することになるので好都合である。なお、繊維質材料は植物性のものであることが望ましいが、焼却や廃棄の際に環境に悪影響を与えないものであれば、ウール等の動物性繊維が混入していても差し支えない。一方、トルマリンや上述した特殊な珪石を粉砕して粉末状としたものを用意し、これを上記の繊維質材料に混入して一緒に混和する。この時、通常の抄紙工程の場合と同様に松やに等の増粘材も入れて混和液の粘度を高める。
【０００８】
次に、十分に混和された混和液を抄き網を用いて抄きあげ、乾燥させることによって、繊維質材料が絡み合って固化した状態の模造バークが得られる。混入された鉱石の粉末は絡み合った繊維質材料の間に挟まって一体化され、また最も外側の繊維質材料の表面に付着した状態のものも、増粘材の作用に助けられて繊維質材料と一体化して容易には脱落しないようになっている。また抄きあげに用いる抄き網の形状や、抄きあげた時の材料の厚み等によって、完成品である模造バークは板状のもの、チップ状のものなど、適宜の形状のものとすることができ、用途によっては例えば植木鉢状にしてこれに植物を植えるようにし、あるいは室内装飾品として利用できるような特徴のある形状のものにして、室内に置いておくこともできる。なお、適宜の顔料を用いて着色することも差し支えない。
【０００９】
以上のようにして得られた模造バークは、従来の天然樹皮製のバークと全く同様に使用することができ、土壌の乾燥を防止し、植物の見栄えをよくし、焼却しても有害物質を発生せず、自然に土に帰るため環境を害することがない等、上述した天然樹皮製のバークと同様な効果を奏することができる。
【００１０】
その上、繊維質材料に混入された鉱石によりマイナスイオンが発生するので、次のようなマイナスイオンによる効果が得られる。すなわち、模造バーク周辺の水をイオン化して吸収されやすいものに変え、植物を活性化してその成長を促進させる。更に、マイナスイオンの存在は人をさわやかな気分にすると共に、血液の浄化、精神安定、疲労回復等の効果が期待でき、遠赤外線を放射して人体の血行を良くして細胞を活性化する作用があるので、屋外だけでなく屋内の鑑賞植物の鉢に使用し、あるいは室内装飾品として室内の身近な場所に置いておくことによって、人の健康を増進することができる。
【００１１】
【発明の効果】
以上の説明から明らかなように、この発明の模造バークは、叩解された植物性の繊維質材料にマイナスイオンを発生する鉱石の粉末を混入して水と混和し、抄きあげて乾燥させて得たものである。従って、天然樹皮製のバークと全く同様の効果があるほか、マイナスイオンによる効果が発揮され、周辺の植物に成長促進等の好ましい影響を及ぼすと共に、人の健康を増進することができる。また材料にプラスチックを含まないので焼却時に有害物質を発生せず、土中に埋めれば自然分解して土に帰るため、環境を害することがない。
【００１２】
特に、植物性の繊維質材料として古紙を利用する場合には、古紙をリサイクルしてパルプ資源の消費を低減できるので、時代の要請に十分に応えることができる。
(57)【要約】【課題】くつ下本体における足首部の足首に対する圧力の調節を行うこととができるようにする。【解決手段】全体的に伸縮自在に構成したくつ下本体１において、足首部２をゆるめに形成し、このゆるめに形成した足首部を周方向に折り曲げ可能に形成し、押し曲げて互いに重なり合う面に、例えばベルクロファスナー、ホック又はボタン等の折り曲げ状態保持具３を配設した。【選択図】　　　　図１
2004068167.tif 000002
【特許請求の範囲】
【請求項１】
全体的に伸縮自在に構成したくつ下本体において、足首部をゆるめに形成し、このゆるめに形成した足首部を周方向に折り曲げ可能に形成し、押し曲げて互いに重なり合う面に、例えばベルクロファスナー、ホック又はボタン等の折り曲げ状態保持具を配設したことを特徴とするくつ下。
【請求項２】
全体的に伸縮自在に構成したくつ下本体において、足首部を上下方向に切断した状態の一方の側に周方向に向けた舌片を形成し、この舌片と対向側の足首部を、例えばベルクロファスナー、ホック又はボタン等の連結部材によって接離可能に形成したことを特徴とするくつ下。
【発明の詳細な説明】
【０００１】
【産業上の利用分野】
この発明は、くつ下本体における足首部（くつ下本体の一部。本書において同）の足首に対する圧力の調節を行うこととができるようにしたくつ下に関するものである。
【０００２】
【従来の技術】
くつ下は足の衛生を図り、かつ外圧から足を保護するものとして従来より一般に広く用いられている。そして従来から一般に用いられていたくつ下は、足先から足首までの全体を覆うことができるように、人間の起立した状態の足先から足首に至る略Ｌ字状に形成されているが、足や足首に存在する凹凸に馴染むように全体的に伸縮自在な素材で形成されている。その素材も足首部はくつ下が不慮にずり抜け出ることを防止するために、足首部は比較的きつめの伸縮材料が用いられているのである。
【０００３】
【発明が解決しようとする課題】
前記足首部が比較的きつい伸縮材料で形成されていることは、その履用時において安心して行動をすることができて履き心地の良さを提供するものではあるが、このきつさをむしろ苦痛に感じることもある。
【０００４】
例えば足首が太って人がそうであり、他には病人、怪我人等がそうである。特に介護を必要とする高齢者にあっては、ことのほか苦痛を表明し、むしり取るようにくつ下を脱ぐ行為は、特に介護現場では見受けられるところである。
【０００５】
しかしこのことは、前記したように靴下を履くということが足の衛生を図り足を外圧から保護することができなくなるため、大きな問題となっていたのである。
【０００６】
【課題を解決するための手段】
そこでこの発明に係るくつ下（請求項１）は前記の課題を解決するために、全体的に伸縮自在に構成したくつ下本体において、足首部をゆるめに形成し、このゆるめに形成した足首部を周方向に折り曲げ可能に形成し、押し曲げて互いに重なり合う面に、例えばベルクロファスナー、ホック又はボタン等の折り曲げ状態保持具を配設したものである。
【０００７】
またこの発明に係るくつ下（請求項２）は前記の課題を解決するために、全体的に伸縮自在に構成したくつ下本体において、足首部を上下方向に切断した状態の一方の側に周方向に向けた舌片を形成し、この舌片と対向側の足首部を、例えばベルクロファスナー、ホック又はボタン等の連結部材によって接離可能に形成したものである。
【０００８】
【発明の実施の形態】
次にこの発明に係るくつ下の実施の形態を図面に基づいて述べると、１はくつ下本体であり、２はその足首部である。
【０００９】
この足首部２は図１及び図２に示すように、従来のくつ下に比して太め、すなわち緩めに形成してある。したがってこの太目、すなわち緩めにに形成したものにあっては、従来例のような履き方をすれば容易に足から離脱する可能性が高い。
【００１０】
そこで前記太め、すなわち緩めに形成した足首部２を、この足首部２を周方向に折り曲げ可能に形成し、折り曲げて互いに重なり合う面、すなわち折り畳んで互いに接する面に、例えばベルクロファスナー、ホック又はボタン（ただしホック、ボタンは図示せず）等の折り曲げ状態保持具３を配設してある。
【００１１】
しかして従来と同様な方法によってくつ下本体１に足を通し、その後、前記足首部２を足首の周方向に折り曲げ、前記折り曲げ状態保持具３によって固定するのである。その際、履用者が苦痛を感じない程度に折り曲げればよいのである。尚、前記足首部２も、それ自体伸縮自在な素材で形成されているので、安定感を付与しつつも足首に対する窮屈感は相乗的に緩和されることになるのである。
【００１２】
また他の実施例として図３及び図４に示すものは、前記した足首部２以外は前記実施例と変わらず、この足首部２の構造が異なっている。
【００１３】
すなわち本実施例における足首部２は、この足首部２があたかも円筒形に形成したものを上下方向に切断し、このうち一方の側の分割縁に足首部２の周方向に適度な長さを有する舌片４を取り付けた形状をなしている。
【００１４】
そこでこの舌片４を、前記仮想した分割縁を越えて合い対向する面５（足首部２の一部）に連結又は分離すればよいが、そのためには、舌片４及び面５に、例えばベルクロファスナー６、ホック又はボタン（ただしホック及びボタンは図示せず）を用いればよいのである。
【００１５】
その結果、本実施例においても、面５に対する舌片４の周方向への位置を変えたことによって、足首に対するくつ下本体１の足首部の窮屈感を調節又は緩和させることになるのである。
【００１６】
【発明の効果】
前記のようにこの発明に係るくつ下（請求項１）あっては、全体的に伸縮自在に構成したくつ下本体において、足首部をゆるめに形成し、このゆるめに形成した足首部を周方向に折り曲げ可能に形成し、押し曲げて互いに重なり合う面に、例えばベルクロファスナー、ホック又はボタン等の折り曲げ状態保持具を配設してあるので、足首部の周方向への折り曲げ長を変えることにより、足首部の足首に対する圧力を調整、緩和することができるという効果を有するのである。
【００１７】
またこの発明に係るくつ下（請求項２）にあっては、全体的に伸縮自在に構成したくつ下本体において、足首部を上下方向に切断した状態の一方の側に周方向に向けた舌片を形成し、この舌片と対向側の足首部を、例えばベルクロファスナー、ホック又はボタン等の連結部材によって接離可能に形成してあるので、舌片の対向側の面に対する周方向の位置を変えることによって、前記と同様の効果を有するのである。
【図面の簡単な説明】
【図１】この発明に係るくつ下の一実施例を示す斜視図である。
【図２】図１の平面図である。
【図３】この発明に係るくつ下の他の実施例を示す斜視図である。
【図４】図３の平面図である。
【符号の説明】
１　くつ下本体
２　足首部
３　折り曲げ状態保持具
４　舌片
５　面
６　ベルクロファスナー
【図１】
2004068167.tif 000003
【図２】
2004068167.tif 000004
【図３】
2004068167.tif 000005
【図４】
2004068167.tif 000006
(57)【要約】　　　（修正有）【課題】森林保護が目的で間引きされる間伐材を、コンクリート構造物及びコンクリート二次製品による擁壁工事、護岸工事、法面工事等の植生に有効に利用することで、再資源化を計り社会資本の充実に貢献することにある。また間伐材を使用することで植物の生育空間を確保する。【解決手段】構成材である間伐材を使用したコンクリート構造物及びコンクリート二次製品に植生、緑化することや、間伐材での景観上の配慮を推進するもので、擁壁、護岸、法面等の新設、既設においても適用される構成材であり、施工方法である。【選択図】図１
2004068389.tif 000002
【特許請求の範囲】
【請求項１】
植生を目的とするコンクリート構造物及びコンクリート二次製品において、植物の生育環境を確保することを特徴とした構成材。
【請求項２】
請求項１の、植物の生育環境を確保する構成材で、景観、機能性を特徴とする施工方法。
【発明の詳細な説明】
【０００１】
【発明の属する技術分野】
本発明は、例えば植生を必要とする擁壁、護岸、法面等のコンクリート構造物及びコンクリート二次製品において、植物の最適な生育空間を確保する構成材として間伐材を使用することで再資源化を計り、景観上においても良好な環境を提供することを特徴とした構成材及び施工方法。
【０００２】
【従来の技術】
従来の擁壁工事、護岸工事、法面工事でコンクリートを構造物とした植生目的の工事、施工において、森林から発生する間伐材を使用した植生方法はなく、また施工方法もなかった。
【０００３】
【発明が解決しようとする課題】
前記のような現状から、本発明は、森林保護が目的で間引きされる間伐材を、コンクリート構造物及びコンクリート二次製品による擁壁工事、護岸工事、法面工事等の植生に有効に利用することで、再資源化を計り社会資本の充実に貢献することにある。また間伐材を使用することで植物の生育空間を確保する。
【０００４】
【課題を解決するための手段】
本発明は、構成材である間伐材を使用したコンクリート構造物及びコンクリート二次製品に植生、緑化することや、間伐材での景観上の配慮を推進するもので、擁壁、護岸、法面等の新設、既設においても適用される構成材であり、施工方法である。
【０００５】
【発明の実施の形態】
本発明を以下詳細に説明することにあたり、本説明において、構成材の間伐材の形状、形態や、施工箇所等は限定されない。
【０００６】
本発明を図１から図４、符号１から符号１０をもって詳細に説明する。
【０００７】
本発明の図１は斜視図で、コンクリートＬ型擁壁に本発明の植生に付与する構成材、符号１の間伐材が符号２の座掘りされた穴からボルトにより符号６の擁壁前板に符号５の連結部材（以下連結材という）で接続され一体化された植生Ｌ型コンクリート擁壁である。
【０００８】
擁壁前板と間伐材をつなぐ連結材で形成される符号４の空間は、植生基盤材が充填される部位で、植物の根の生長空間であり、符号３の開口部（以下スリットという）と続いている。また、スリットより植物の地上部が発生する部位である。
【０００９】
植生Ｌ型コンクリート擁壁とする間伐材、連結材、擁壁前板、植生基盤材空間の一体化製品や、間伐材、連結材、植生基盤材空間を後付けでの施工も有効な方法であり、本発明の特徴である。また施工後において、間伐材の取り替えや、植生基盤材、植物の取り替えも任意に出来ることも特徴である。
【００１０】
図１に示す間伐材は半円型であるが、敷設場所の条件による同材の強度、景観の上で丸型や長四角型、三角型であっても良く、限定されない。なお、同材の太さや長さにおいても同様である。
【００１１】
図１に示す符号７は擁壁の底板部で、符号６の擁壁前板と共に擁壁の構造体である。
【００１２】
図２は植物が生長した状態を示す植生Ｌ型擁壁の斜視図であり、符号８が植物を表す。また符号１から符号７は上記で説明されたものと同様である。
【００１３】
図３は間伐材が縦型の形状の場合である植生Ｌ型擁壁の斜視図であり、図２で示す植物の生長状態を表すものである。符号１から符号８も同様である。
【００１４】
図１、図２、図３の本発明の間伐材は、一本毎にスリットが入るデザインであるが、間伐材が複数連続しスリットとすることも有効であり、以上のことが河川の護岸ブロック、法面積みブロック、水路壁面や同コンクリート構造物において、植生が目的であれば本発明の範囲であり、限定されない。
【００１５】
図４は図１のＡ−Ａ断面図で、符号１の間伐材、符号５の連結材、符号６の擁壁前板の接続を示し、符合９のナット、符号１０のボルトで連結する。符号２は座掘り部を指し、間伐材の前部からナット、ボルトが出ないようにしたものである。また、符号４は植生基盤材であり、植物の生長に必要な水分、養分を確保する部位で、例えば木質チップ、バーク、多孔質鉱物、土壌菌などであれば良く、限定されない。
【００１６】
本発明で使用される構成材の間伐材は、符号４の植生基盤材の流出や、水分の蒸発を防ぐ為の役目もし、共に木質という特性から植生基盤材の保温、夏期の冷房の役目も果すことで、植物の生長に不可欠な環境を提供する。
【００１７】
以上が図、符号による説明を終了するが、本発明の技術は、用途、形状、形態において限定されるものではない。
【図面の簡単な説明】
【図１】本発明の植生Ｌ型コンクリート擁壁の斜視図
【図２】同斜視図
【図３】同斜視図
【図４】図１のＡ−Ａ断面図
【符号の説明】
１構成材（間伐材）
２座掘り（ボルト、ナット位置）
３植物の地上部発生空間（スリット）
４植生基盤材空間
５連結部
６擁壁前板
７擁壁底板
８植物の地上部
９ナット
１０ボルト
【図１】
2004068389.tif 000003
【図２】
2004068389.tif 000004
【図３】
2004068389.tif 000005
【図４】
2004068389.tif 000006